(57)【特許請求の範囲】
【請求項１】
水平方向に対面するように対をなして板状に形成されて躯体側から延設された腕木（１，１）と、
天板部（２ａ）および底板部（２ｂ）を有して長手筒状とされて開口するとともに、該筒状内部には天板部（２ａ）および底板部（２ｂ）を連結する梁部（２ｄ）が長手方向に沿って一体に形成され、該梁部（２ｄ）の中途部分には固定用穴（２ｅ）が長手方向に沿って一体に形成され、該筒状の両側端部の開口に被固定部としての前記固定用穴（２ｅ）があらわれるように押出成形によって一体に形成された置き台（２）と、
を備え、前記各腕木（１，１）の対向する内面に対し、前記置き台（２）の両側端部が前記被固定部としての固定用穴（２ｅ）を介して固定具（５）により固定されており、
さらに、前記各腕木（１，１）の外面を覆い、且つ、前記各腕木（１，１）の外面に固定される各外カバー（７，７）と、該各外カバー（７，７）に添設され、前記腕木（１，１）の内面を覆う内カバー（９）と、前記各外カバー（７，７）の間に連結され、前記置き台（２）の長手方向に沿うようにして前記置き台（２）の前端側に配される覆い部（８）と、からなる枠体（３）を備え、
前記外カバー（７）は、上部に筒部（７ａ）を有し、筒部（７ａ）の下面の外側には外面部（７ｂ）が垂下して一体に形成され、外面部（７ｂ）の下端には底面部（７ｃ）が内側に水平に一体に形成され、底面部（７ｃ）の先端に一体に形成された取付部（７ｄ）上には、前記置き台（２）が固定具（１９）により固定されており、外カバー（７）の筒部（７ａ）下面の外面部（７ｂ）の内側には、外面部（７ｂ）と平行に固定片（７ｅ）が垂下して一体に形成され、該固定片（７ｅ）には、前記腕木（１）が固定具（１５）により固定されていることを特徴とする構造物用張出台。
【請求項２】
前記左右の外カバー（７，７）と該左右の外カバー（７，７）の間に連結される覆い部（８）とからなる枠体（３）はユニット化されており、このユニット化された枠体（３）が、前記左右の腕木（１，１）に対し前記固定具（１５）により固定されることを特徴とする請求項１に記載の構造物用張出台。
【請求項３】
前記筒部（７ａ）と、前記外面部（７ｂ）と、前記底面部（７ｃ）及び取付部（７ｄ）と、前記固定片（７ｅ）を有する外カバー（７）は、前記腕木（１）の延設方向に長手状に押出成形により一体に形成されていることを特徴とする請求項２又は３に記載の構造物用張出台。
【請求項４】
前記外カバー（７）の前記筒部（７ａ）下面の前記固定片（７ｅ）の内側には、短片（７ｆ）が一体に形成され、この短片（７ｆ）と腕木（１）との間には、前記内カバー（９）の上端が嵌挿されており、内カバー（９）の下端に折曲形成された取付片（９ａ）が固定具（１８）により前記置き台（２）の前記天板部（２ａ）の上面に固定され、内カバー（９）の背部に前記腕木（１）と前記外カバー（７）の固定片（７ｅ）とを固定する前記固定具（１５）が位置していることを特徴とする請求項１乃至３のいずれか１項記載の構造物用張出台。
【発明の詳細な説明】
【０００１】
【発明の属する技術分野】
本発明は、例えば、建物などの躯体から張り出して設けられ、鉢植えなどを置く置き台として用いられる構造物用張出台に関するものである。
【０００２】
【従来の技術】
図７および図８は従来の構造物用張出台の置き台を示す斜視図、図９は従来の構造物用張出台の枠体を示す斜視図、図１０は従来の構造物用張出台の継ぎ目カバーを示す斜視図である。
【０００３】
図７乃至図１０に示すように、従来の構造物用張出台は、建物側（躯体側）に延設された複数の腕木５１に対して置き台５２を取り付け、且つ、置き台５２の周縁に崩れ止めをなす枠体５３を設けてなる。
【０００４】
置き台５２は、板金からなる長手状の天板５２ａおよび底板５２ｂの間に、長手方向に連なる板金の折り曲げからなる梁材５２ｃを有している。梁材５２ｃは、天板５２ａの底面に溶接などで固定され、底板５２ｂが梁材５２ｃに対してネジ止めされる。この置き台５２は、例えば２ｍ程の長さを所望する場合には、１ｍ毎に二分割されて、折り曲げられた梁材５２ｃの長手方向の両端部が各々腕木５１の間にネジ止めされる。この場合、腕木５１は、計四箇所に設けられて、中央の二個が近接して設けられる。そして、梁材５２ｃを腕木５１にネジ止めして天板５２ａを固定した後、底板５２ｂを梁材５２ｃにネジ止めする。
【０００５】
枠体５３は、置き台５２の両側部および前端部を囲むようにコ字状に形成された取付基部５３ａと、この取付基部５３ａの上面に立設された柵部５３ｂと、柵部５３ｂの上端にて取付基部５３ａと同様にコ字状に形成された笠木５３ｃとからなる。枠体５３の取り付けは、取付基部５３ａのコ字状の両腕部材を最端の腕木５１にネジ止めする。最両端の腕木５１は、置き台５１をネジ止めする垂直面をなす立板５１ａの上端にて外方に折曲形成された水平面をなす平板５１ｂの端部に上方に折曲した取付片５１ｃを有している。取付基部５３ａの両腕部材は、この取付片５１ｃにネジ止めされる。さらに、枠体５３は、笠木５３ｃの略中央部分にコ字状の両腕部材と平行して躯体側に延設された補助腕部材５４を有し、笠木５３ｃの両腕部材および補助腕部材５４を建物側にネジ止めして取り付けられる。
【０００６】
置き台５２および枠体５３を取り付けた後は、二分割された置き台５２の天板５２ａの継ぎ目部分を覆う継ぎ目カバー５５をネジ止めする。
【０００７】
【発明が解決しようとする課題】
しかしながら、上述した従来の構造物用張出台では、置き台５２が天板５２ａ、底板５２ｂおよび梁材５２ｃのそれぞれ板金からなる別の構成のため、十分な強度を得るために上述の如く例えば２ｍのものを１ｍ毎に分割しなければならない。このため、腕木５１が、計四箇所に設けられて、中央の二個が近接して設けられる。この近接した腕木５１への置き台５２のネジ止めは下側から上向きの作業であり、且つ、近接した狭い部分でのネジ止め作業となる。また、天板５２ａと梁材５２ｃとは一体として腕木５１に取り付けできるものの、底板５２ｂは別体で下側から上向きで取り付けなければならない。このように、従来の構造物用張出台は、置き台５２において施工作業に手間がかかる。
【０００８】
また、置き台５２が上述の如く分割されているため、天板５２ａの継ぎ目部分を覆う継ぎ目カバー５５をネジ止めしなければならない。このため、継ぎ目カバー５５が天板５２ａ上に重ねられるとともに、取り付けのネジが表出するので見栄えが損なわれる。このネジの表出は、底板５２ｂのネジ止めにもかかり、下側からネジ止め部分が見えて見栄えが損なわれる。
【０００９】
また、上述した従来の構造物用張出台では、枠体５３の取り付けにおいて、取付基部５３ａの両腕部材を最両端の各腕木５１にネジ止めするが、外観にネジが表出すると見栄えが悪いために多数のネジ止めができない。そこで、十分な強度を得るために笠木５３ｃの両腕部材を建物側にネジ止めするとともに、補助腕部材５４を用いて補強しなければならない。このように、従来の構造物用張出台は、枠体５３において施工作業に手間がかかる。
【００１０】
そこで本発明は、上記課題を解消するために、十分な強度を得て部品点数およびネジ止めなどの固定箇所を減少させて施工の作業性を向上することができ、且つ、ネジなどの固定具の表出を減少させて見栄えを向上することができる構造物用張出台を提供することを目的としている。
【００１１】
【課題を解決するための手段】
上記目的を達成するため本発明による請求項１記載の構造物用張出台は、水平方向に対面するように対をなして板状に形成されて躯体側から延設された腕木１，１と、
天板部２ａおよび底板部２ｂを有して長手筒状とされて開口するとともに、該筒状内部には天板部２ａおよび底板部２ｂを連結する梁部２ｄが長手方向に沿って一体に形成され、該梁部２ｄの中途部分には固定用穴２ｅが長手方向に沿って一体に形成され、該筒状の両側端部の開口に被固定部としての前記固定用穴２ｅがあらわれるように押出成形によって一体に形成された置き台２と、
を備え、前記各腕木１，１の対向する内面に対し、前記置き台２の両側端部が前記被固定部としての固定用穴２ｅを介して固定具５により固定されており、
さらに、前記各腕木１，１の外面を覆い、且つ、前記各腕木１，１の外面に固定される各外カバー７，７と、該各外カバー７，７に添設され、前記腕木１，１の内面を覆う内カバー９と、前記各外カバー７，７の間に連結され、前記置き台２の長手方向に沿うようにして前記置き台２の前端側に配される覆い部８と、からなる枠体３を備え、
前記外カバー７は、上部に筒部７ａを有し、筒部７ａの下面の外側には外面部７ｂが垂下して一体に形成され、外面部７ｂの下端には底面部７ｃが内側に水平に一体に形成され、底面部７ｃの先端に一体に形成された取付部７ｄ上には、前記置き台２が固定具１９により固定されており、外カバー７の筒部７ａ下面の外面部７ｂの内側には、外面部７ｂと平行に固定片７ｅが垂下して一体に形成され、該固定片７ｅには、前記腕木１が固定具１５により固定されていることを特徴とする。
【００１２】
前記の構成において、前記左右の外カバー７，７と該左右の外カバー７，７の間に連結される覆い部８とからなる枠体３はユニット化されており、このユニット化された枠体３が、前記左右の腕木１，１に対し前記固定具１５により固定されることを特徴とする。
また、前記筒部７ａと、前記外面部７ｂと、前記底面部７ｃ及び取付部７ｄと、前記固定片７ｅを有する外カバー７は、前記腕木１の延設方向に長手状に押出成形により一体に形成されていることを特徴とする。
さらに、前記外カバー７の前記筒部７ａ下面の前記固定片７ｅの内側には、短片７ｆが一体に形成され、この短片７ｆと腕木１との間には、前記内カバー９の上端が嵌挿されており、内カバー９の下端に折曲形成された取付片９ａが固定具１８により前記置き台２の前記天板部２ａの上面に固定され、内カバー９の背部に前記腕木１と前記外カバー７の固定片７ｅとを固定する前記固定具１５が位置していることを特徴とする。
【００１３】
【発明の実施の形態】
以下、本発明の実施の形態を図面を参照して具体的に説明する。
図１は本発明の構造物用張出台の実施の形態を示す斜視図、図２は前記構造物用張出台における置き台の断面図、図３は前記構造物用張出台における枠体を示す斜視図、図４（ａ）（ｂ）および図５（ａ）（ｂ）は前記枠体の取付状態を示す図、図６は前記構造物用張出台の組立断面図である。
【００１４】
本実施の形態における構造物用張出台は、建物側（躯体側）に延設された各腕木１に対して置き台２を取り付け、且つ、置き台２の周縁に枠体３を取り付けてなる。
【００１５】
図１に示すように、腕木１は、建物側から延設されており、水平方向に対面するように対をなして板状に形成されている。腕木１は、建物側に固定される固定片１ａを一体に有して、図１の如く平面視で略Ｔ字形状あるいは略Ｌ字形状（不図示）などに形成されている。そして、固定片１ａを、例えば、腕木１の建物の施工時に、建物の柱材や梁材などに固定し、外壁材であるパネル材で覆うことにより、図１の如く腕木１本体のみが建物側から延設される。また、腕木１には、後述する置き台２および枠体３を取り付けるための取付穴１ｂが設けられている。
【００１６】
置き台２は、下記構成をアルミ合金や合成樹脂などの押出成形により長手状にして一体に形成されている。置き台２は、天板部２ａ、底板部２ｂを有して断面略矩形の筒状をなしている。底板部２ｂには、長手方向に連続して筒状内に凹んだ凹状部２ｃが形成されている。また、置き台２の筒状内部には、前記凹状部２ｃと天板部２ａとを連結する梁部２ｄが一体に設けられており、この梁部２ｄの中途部分に、断面略Ｃ字形状の固定用穴２ｅ（被固定部）が設けられている。固定用穴２ｅは、置き台２の開口する両側端部にあらわれる。これら凹状部２ｃ、梁部２ｄおよび固定用穴２ｅは、上記押出成形によって長手方向に沿って形成され、図２に示す本実施の形態のように、少なくとも二箇所設けられていることが好ましい。また、天板部２ａの後端側には、長手方向に沿って上方に延設された固定片２ｆが設けられている。
【００１７】
このように形成された置き台２は、図１に示すように、各腕木１の対向する内面に対して、その両側端部が固定用穴２ｅを介してネジ５などの固定具を用いて固定される。また、置き台２は、図６に示すように、固定片２ｆ介してネジ６などの固定具を用いて建物側に対して固定される。
【００１８】
枠体３は、外カバー７と、覆い部８と、内カバー９とからなる。図３、図４（ａ），（ｂ）および図５（ａ），（ｂ）に示すように、外カバー７は、アルミ合金や合成樹脂などの押出成形により腕木１の延設方向に長手状にして形成されている。外カバー７は、上部に断面略矩形状の筒部７ａを有している。筒部７ａの下方には、筒部７ａの外側面と略面一にして垂下する外面部７ｂが形成されている。外面部７ｂの下端には、内側に水平にして延設された底面部７ｃが形成されている。さらに、底面部７ｃの先端には、一端上方に延設されるとともに内側に水平にして延設された取付部７ｄが形成されている。外カバー７は、外面部７ｂ、底面部７ｃおよび取付部７ｄの一部により、その下端部分に袋状の構成をなす。また、筒部７ａの下方中程には、外面部７ｂと略平行にして垂下する固定片７ｅが形成されている。さらに、筒部７ａの下方中程であって、固定片７ｅよりも内側には、短片７ｆが垂下して形成されている。なお、上記構成の外カバー７は、対をなしており、互いに反転された断面形状をなす。
【００１９】
覆い部８は、図３および図６に示すように、柱材１０と、パネル材１１と、笠木１２とを有してなる。柱材１０は、アルミ合金や合成樹脂などの押出成形により上下方向に長手状にして形成されている。柱材１０は、その側部に、外カバー７の長手方向の一端側を、図６にあらわすボルト１３などの固定具で固定している。この柱材１０は、図３に示す本実施の形態では、各外カバー７を固定するものの間に配されるものがある。この三箇所の各柱材１０は、上端が水平方向に長手状の上板１４で連結され、下端が水平方向に長手状の底板１５で連結されている。
【００２０】
パネル材１１は、図６に示すように、アルミ合金や合成樹脂などの押出成形により水平方向に長手状にして形成された外パネル１１ａと内パネル１１ｂとで構成されている。外パネル１１ａと内パネル１１ｂ内は互いに嵌挿されている。このパネル材１１は、その端部が、各柱材１０の外面に長手方向に沿って形成された溝部１０ａに挿通されて、各柱材１０の間に介在され、各端部が柱材１０の溝部１０ａに不図示のビスなどの固定具で固定される。なお、パネル材１１は、図３および図６にあらわす本実施の形態では、各柱材１０の間にて上下方向の三箇所に配されている。
【００２１】
笠木１２は、アルミ合金や合成樹脂などの押出成形により水平方向に長手状にして形成されている。笠木１２は、断面略Ｃ字形状に形成され、その開口部分に、内方に延設された嵌合片１２ａを有している。笠木１２は、その嵌合片１２ａを、各柱材１０の上端を連結する上板１４の側端にて上方に延設された嵌合片１４ａの外側に嵌合して上板１４に固定され、各支柱１０の上端に架設するように取り付けられる。
【００２２】
内カバー９は、板金あるいは硬質樹脂板にて形成され、図６に示すように、外カバー７と略同じ長さを有してなる。図５に示すように、内カバー９は、その下端に折曲形成された取付片９ａを有して断面略Ｌ字形状をなしている。
【００２３】
なお、枠体３は、予め覆い部８が取り付けられてユニット化されている。この枠体３のユニットは、置き台２が取り付けられた腕木１に対して取り付けられる。枠体３の腕木１への取り付けは、図３および図４（ａ）に示すように、各外カバー７で、各腕木１の外面を覆うようにして、腕木１の延設された先端に外カバー７を挿通する。次いで、図４（ｂ）に示すように、外カバー７を、腕木１に固定する。この際、腕木１の内面側から上下四箇所のボルト１５などの固定具が螺着される。図５に示すように、上側二箇所のボルト１５は、腕木１と外カバー７の固定片７ｅとを締結するとともに、固定片７ｅに添設された板金などからなる裏板１６も共に締結する。そして、下側二箇所のボルト１５は、腕木１と裏板１６とを締結する。これにより、覆い部８が取り付けられた枠体３のユニットが腕木１に固定される。
【００２４】
次いで、内カバー９を取り付ける。図５（ａ）に示すように、内カバー９は、外カバー７に添設され、その上端が外カバー７が固定された腕木１の内面と外カバー７の短片７ｆとの間に挿入される。内カバー９の上端には、ゴム材などの弾性部材１７が設けられているため、内カバー９の上端が腕木１と短片７ｆとの間に弾性部材１７を介して嵌挿される。次いで、図５（ａ）および図６に示すように、内カバー９の下端の取付片９ａをネジ１８などの固定具で置き台２の天板部２ａの上面に固定する。なお、天板部２ａと取付片９ａとの間に、ゲル状あるいはスポンジ状のシール材などによる防水処理を施してもよい。内カバー９の上下寸法は、上端が腕木１と短片７ｆとの間に嵌挿され、且つ、取付片９ａが天板部２ａの上面に接触する寸法となっている。これにより、内カバー９が腕木１の内面を覆うようにして固定される。なお、図５（ｂ）に示すように、本実施の形態での内カバー９は、外カバー７を腕木１に固定するボルト１５の頭部を避ける如く折曲形成されている。
【００２５】
次いで、図５（ｂ）および図６に示すように、外カバー７の取付部７ｄをネジ１９などの固定具で置き台２の底板部２ｂの下面に固定する。この際、取付部７ｄの上面には、ゴム材や軟質樹脂材などの弾性部材２０が設けられているため、腕木１への外カバー７の上下取付位置の誤差を弾性部材２０が吸収して、隙間なく取付部７ｄが底板部２ｂの下面に固定できる。また、弾性部材２０は、底板部２ｂと取付部７ｄ間の防水処理としても機能する。
【００２６】
このようにして、置き台２および枠体３が腕木１を介して固定され、建物側に張出台が設置される。この張出台は、建物の壁部（窓下）に設置されて、主に、鉢植えなどが置かれる。
【００２７】
ところで、置き台２は、水平に対して建物から延出する前端部が若干下方に傾くように腕木１に固定される。これにより雨水などが置き台２の天板部２ａの上面に溜まることがない。また、外カバー７も建物から延出する前端部が若干下方に傾くように腕木１に固定される。図５（ａ），（ｂ）および図６に示すように、外カバー７の底面部７ｃの前端部寄りには、水抜穴２１が設けられている。これにより、雨水などが外カバー７と内カバー９との間に侵入してもその中に溜まることがない。
【００２８】
したがって、このように構成された構造物用張出台では、置き台２が、押出成形によって断面略矩形状の長手筒状をなし、天板部２ａと底板部２ｂとの間に梁部２ｄを一体に設けるとともに、底板部２ｂに長手方向に連続して筒状内に凹んだ凹状部２ｃを形成していることにより、十分な強度を得て、従来の如く長手方向に分割する必要がなくなるので、取り付け作業性を向上することが可能となる。また、置き台２を分割しないので、腕木１を対で設ければよく、腕木１の施工作業性も向上することが可能である。また、置き台２を分割しないため、従来の如く継ぎ目部分にカバーを付ける必要がなくなるので、さらに取り付け作業性を向上することが可能となる。
【００２９】
また、置き台２が、押出成形によって形成されて両側端部に固定用穴２ｅが得られるため、取り付け時に側部からの容易なネジなどの固定具による固定で取り付けることができるので、さらなる作業性の向上を図ることが可能であり、製造工程においても作業性が向上し、コストを削減することが可能である。
【００３０】
また、枠体３が、腕木１の外面を覆って腕木１に固定される外カバー７と、腕木１の内面を覆って取り付けられる内カバー９を有して、腕木１および固定具による固定部分を表出させずに固定されるので、見栄えを向上することができる。また、外カバー７の間に連結される覆い部８が、押出成形によって形成されているため、十分な強度を得て、腕木１以外の部分に固定したり、従来の如く補助腕部材を用いて補強しなくてもよくなるので、取り付け作業性を向上することが可能となる。
【００３１】
なお、上述した実施の形態では、建物に対して置き台２および枠体３を取り付ける例について説明したが、これら置き台２および枠体３は、塀、建物の内外壁、バルコニーの腰壁などの躯体に取り付けることが可能である。
【００３２】
【発明の効果】
以上説明したように本発明による構造物用張出台は、建物側から延設された腕木に固定される置き台を、押出成形によって長手筒状に一体に形成したことにより、長手方向に分割しなくても十分な強度を得ることができる。このため、腕木を対の構成とすることができる。したがって、部品点数や固定箇所が減少して施工の作業性を向上することができる。また、置き台が筒状に一体形成されているため、その表面にネジなどの固定具の表出が減少し、見栄えを良くすることができる。
【００３３】
また、腕木の外面を覆って腕木に固定される外カバーと、腕木の内面を覆って取り付けられる内カバーを有した枠体を備えることにより、腕木および置き台を固定した固定具による固定部分を覆い隠すので見栄えを向上することができる。
【図面の簡単な説明】
【図１】本発明の構造物用張出台の実施の形態を示す斜視図。
【図２】前記構造物用張出台における置き台の断面図。
【図３】前記構造物用張出台における枠体を示す斜視図。
【図４】（ａ）（ｂ）前記枠体の取付状態を示す図。
【図５】（ａ）（ｂ）前記枠体の取付状態を示す図。
【図６】前記構造物用張出台の組立断面図。
【図７】従来の構造物用張出台の置き台を示す斜視図。
【図８】従来の構造物用張出台の置き台を示す斜視図。
【図９】従来の構造物用張出台の枠体を示す斜視図。
【図１０】従来の構造物用張出台の継ぎ目カバーを示す斜視図。
【符号の説明】
１…腕木、２…置き台、２ａ…天板部、２ｂ…底板部、２ｅ…固定用穴、３…枠体、７…外カバー、８…覆い部、９…内カバー。
【図１】
0003932943.tif 000002
【図２】
0003932943.tif 000003
【図３】
0003932943.tif 000004
【図４】
0003932943.tif 000005
【図５】
0003932943.tif 000006
【図６】
0003932943.tif 000007
【図７】
0003932943.tif 000008
【図８】
0003932943.tif 000009
【図９】
0003932943.tif 000010
【図１０】
0003932943.tif 000011